(57)【要約】【課題】収納空間を簡易な取り扱いで計量部と収納部とに分けることが可能であり、その計量された収納物を手を汚さずに袋外に取り出すことができるようにした計量機能付き包装袋を提案する。【解決手段】袋正面シートと袋背面シートとの間の収納空間が、袋正面シートの高さ方向の冗長部分を幅方向に折ることによって形成された折込部により、計量部と収納部とに区分されており、袋正面シートの折込部の上部には、幅方向に亘る取出口部が位置しており、袋正面シートの内面には、開閉ファスナーが、前記取出口部に重なるようにして設けられ、折込部の高さ位置で袋正面シートと袋背面シートとを重ね合わせした状態で袋背面シートが内側となるように折り曲げて、取出口部と開閉ファスナーとを共に開いたときに、袋正面シートと袋背面シートが密着して収納部を閉鎖し、計量部が開放されることを特徴とする計量機能付き包装袋である。【選択図】図１
2018131236.tif 000002
【特許請求の範囲】
【請求項１】
袋正面シートと袋背面シートとの間の収納空間が、袋正面シートの袋高さ方向の冗長部分を袋幅方向に折ることによって形成された折込部により、袋高さ方向に計量部と収納部とに区分されており、
前記袋正面シートの前記折込部の上部には、袋幅方向に亘る取出口部が位置しており、
前記袋正面シートの内面には、第一ファスナーテープと第二ファスナーテープとが係脱可能に係合してなる開閉ファスナーが、前記取出口部に重なるようにして設けられ、
前記開閉ファスナーにおける一方の第一ファスナーテープは、前記取出口部の上部側となる袋正面シートの内面に取り付けられているとともに、他方の第二ファスナーテープは、前記取出口部の下部側となる袋正面シートの内面に取り付けられていて、この第二ファスナーテープが、前記取出口部を跨いで第一ファスナーテープに収納空間側から重なり、その重なり部分で第二ファスナーテープが前記第一ファスナーテープに係脱可能に係合しており、
前記折込部の高さ位置で袋正面シートと袋背面シートとを重ね合わせした状態で袋背面シートが内側となるように折り曲げて、取出口部と開閉ファスナーとを共に開いたときに、袋正面シートと袋背面シートが密着して収納部を閉鎖し、計量部が開放される構成としたことを特徴とする計量機能付き包装袋。
【請求項２】
袋形状を、袋正面シートと袋背面シートとの袋下部側に袋底面シートが配置されたスタンディングパウチ形状、または角底ガゼット形状としたことを特徴とする請求項１に記載の計量機能付き包装袋。
【請求項３】
上記取出口部には、袋正面シートを引き裂く引き裂き手段が袋幅方向に亘って設け
られていることを特徴とする請求項１または２に記載の計量機能付き包装袋。
【請求項４】
前記折込部は、折込部根元の左右両縁付近から折込部先端部の袋幅方向中央に向かって斜めに形成された斜行シール部を有することを特徴とする請求項１〜３のいずれか１項に記載の計量機能付き包装袋。
【請求項５】
前記計量部は、その一部または全部が透明または半透明であり、一定量の内容物を計量するための計量目盛線を備えていることを特徴とする請求項１〜４のいずれか１項に記載の計量機能付き包装袋。
【発明の詳細な説明】
【技術分野】
【０００１】
本発明は、包装袋に関し、特に粉末状や顆粒状の内容物を収納し、概ね一定量を計量して取り出すことができる計量機能付きの包装袋に関するものである。
【背景技術】
【０００２】
従来から、袋の収納物の取り出し口とする部分に合成樹脂製の開閉ファスナーを配して再封性を備える包装袋が流通している。そして開閉ファスナーは、雄型の係合子をレール状に配したファスナーテープと雌型の係合子をレール状に配したファスナーテープとをその係合子同士のかみ合わせで係脱可能に係合させたものであった。
【０００３】
そして取り出し口を開くにはファスナーテープそれぞれの上縁などを持ちながらファスナーテープ同士が離れるように引き開けばよく、また開閉ファスナーを閉じるには、重ね合わせたファスナーテープを軽く指で押し潰すように挟み持ちながら係合子同士をかみ合わせ、挟み持つ指などを長手方向にスライドさせるようにしたものであった。
【０００４】
また一方、容器に収納した収納物を一度に使い切るのではなく、適量ずつ取り出すことができるようにする包装容器の一種として、シートの貼り合わせによって形成された包装袋であって、袋自体の構造を利用して収納物を加減しながら取り出すことができる包装袋が各種提案されている。さらにこの種の包装袋に上記合成樹脂製の開閉ファスナーを用いて再封性を向上させる提案がなされている。
【０００５】
特許文献1に記載された取出口付き袋体は、内部が開閉自在のジッパー（ファスナー）により収容部と小出し部に分割されるとともに、小出し部の側面に取出口が設けられていることを特徴とする取出口付き袋体である。小出し部の取出口は、粘着剤が塗布された遮蔽シートで覆われている。
【０００６】
特許文献１に記載された袋体は、収容部と小出し部がファスナーによって分割されているため、内容物によってはファスナーが内容物で汚染され易いという問題がある他、袋体の中央部にファスナーがあるため、ファスナーの開閉がし辛いという問題がある。またさらに取出口は粘着シートで覆われているだけであって、密封が不完全であるため、内容物によっては、別途外袋が必要になるという問題もあった。
【０００７】
特許文献１に記載された袋体は、粒状や顆粒状の内容物には適用可能であるが、液体や粉末の内容物には不向きである。
【０００８】
特許文献２に記載された収納袋は、袋上部に開閉ファスナーを有するとともに、一方の袋側部から袋中央上方に向けて延設したヒートシールによってＶ字状の計量部を設けた包装袋である。
【０００９】
特許文献２に記載された収納袋は、構造が簡単で計量部の使用方法が直感的に分かり易い反面、計量部に貯めた内容物だけを取り出すためには、袋を中央部で折るなどして、収納部の内容物がこぼれないようにしなければならないが、この操作が難しいという問題がある。
【００１０】
特許文献３に記載された包装袋は、袋上部側から、封止されている取り出し口、開閉ファスナーを順に配置するとともに、開閉ファスナーの位置の下方に袋側部それぞれが袋中央に向けて張り出るシール部を対にして形成していて、そのシール部の上部側を計量部にするとともに、シール部の下部側を収納部とし、収納部の収納物をシール部の間を通して開閉ファスナーまでの領域でその収納物の計量を行なうようにしたものである。
【先行技術文献】
【特許文献】
【００１１】
【特許文献１】特開２００４−１２３１５２号公報
【特許文献２】特開２００２−３７０７５３号公報
【特許文献３】特開２００４−３０６９８５号公報
【発明の概要】
【発明が解決しようとする課題】
【００１２】
特許文献２に記載された収納袋も特許文献３に記載された包装袋もいずれも計量した内容物を取り出すためには、袋の中間部を折って計量部と収納部を隔離する操作が必要であるが、計量部の上に開閉ファスナーを有する構造であるため、取り出し時には内容物の下にファスナーが位置し、このためファスナーを開くと同時に内容物がこぼれ出すという同じ基本的な問題を内在しているものである。
また、他の問題として特許文献２の収納袋においては、袋正面シートと袋背面シートとをヒートシールして一方の袋側部から袋中央に向けて延設する張り出しを設けている。また、特許文献３の包装袋においては、袋正面シートと袋背面シートとをヒートシールして袋中央に張り出る対の量設定区画を設けている。
【００１３】
これらの包装袋の形状を、スタンディングパウチ形状や角底ガゼット形状とした場合、収納物の充填を袋上部側から行なう必要があることから、量設定区画やＶ字状の計量部の位置を通して収納部に収納物を充填し難いという問題がある。
【００１４】
また、袋正面シートと袋背面シートとをヒートシールした部分は硬くなるため、このヒートシールした部分が袋中央部分に向けて連続している袋に収納物を充填すると、収納部の収納空間の広がりが部分的に阻害されて、静置に適した袋下部形状が形成されず、自立性が悪い包装袋になってしまうという問題もある。
【００１５】
そこで本発明が解決しようとする課題は上記事情に鑑み、袋内部の収納空間を袋正面シートと袋背面シートとのヒートシールにて区分することなしに、簡易な取り扱いで収納空間を計量部と収納部とに分けることが可能であり、その計量された収納物を手を汚さずに袋外に取り出すことができるようにした計量機能付き包装袋を提案するものである。
【課題を解決するための手段】
【００１６】
上記の課題を解決するための手段として、請求項１に記載の発明は、袋正面シートと袋背面シートとの間の収納空間が、袋正面シートの袋高さ方向の冗長部分を袋幅方向に折ることによって形成された折込部により、袋高さ方向に計量部と収納部とに区分されており、前記袋正面シートの前記折込部の上部には、袋幅方向に亘る取出口部が位置しており、前記袋正面シートの内面には、第一ファスナーテープと第二ファスナーテープとが係脱可能に係合してなる開閉ファスナーが、前記取出口部に重なるようにして設けられ、前記開閉ファスナーにおける一方の第一ファスナーテープは、前記取出口部の上部側となる袋正面シートの内面に取り付けられているとともに、他方の第二ファスナーテープは、前記取出口部の下部側となる袋正面シートの内面に取り付けられていて、この第二ファスナーテープが、前記取出口部を跨いで第一ファスナーテープに収納空間側から重なり、その重なり部分で第二ファスナーテープが前記第一ファスナーテープに係脱可能に係合しており、前記折込部の高さ位置で袋正面シートと袋背面シートとを重ね合わせした状態で袋背面シートが内側となるように折り曲げて、取出口部と開閉ファスナーとを共に開いたときに、袋正面シートと袋背面シートが密着して収納部を閉鎖し、計量部が開放される構成としたことを特徴とする計量機能付き包装袋である。
【００１７】
本発明に係る計量機能付き包装袋は、袋正面シートに、袋正面シートの袋高さ方向の冗長部分を袋幅方向に折ることによって形成された折込部を設けたことにより、この折込部において収納空間を折り曲げることにより、収納空間を計量部と収納部とに区分することが容易にかつ安定的に行えるようになったものである。
【００１８】
また、請求項２に記載の発明は、袋形状を、袋正面シートと袋背面シートとの袋下部側に袋底面シートが配置されたスタンディングパウチ形状、または角底ガゼット形状としたことを特徴とする請求項１に記載の計量機能付き包装袋である。
【００１９】
また、請求項３に記載の発明は、上記取出口部に、袋正面シートを引き裂く引き裂き手段が袋幅方向に亘って設けられていることを特徴とする請求項１または２に記載の計量機能付き包装袋である。
【００２０】
また、請求項４に記載の発明は、前記折込部が、折込部根元の左右両縁付近から折込部先端部の袋幅方向中央に向かって斜めに形成された斜行シール部を有することを特徴とする請求項１〜３のいずれか１項に記載の計量機能付き包装袋である。
また、請求項５に記載の発明は、前記計量部が、その一部または全部が透明または半透明であり、一定量の内容物を計量するための計量目盛線を備えていることを特徴とする請求項１〜４のいずれか１項に記載の計量機能付き包装袋である。
【発明の効果】
【００２１】
本発明に係る計量機能付き包装袋は、計量部を一体に備えた包装袋であるため、瓶状の収納容器にセットする計量スプーンなどのような別部材を用意する必要がない。そして本発明の包装袋では、計量を行なうために収納空間を狭くする箇所がなく、袋上部側から収納部に向けて収納物をスムーズに充填できるようになる。さらに収納物を収納した包装袋において、収納部にある収納物は、袋を寝させて振ったり揺らしたりするなどの簡単な操作で計量部に移動するようになり、収納物に直接触れることなしに計量が簡単に行えるという効果がある。
【００２２】
また計量部と収納部との境界部分に折込部を設けたことにより、折込部において包装袋を袋背面シートを内側にして折り曲げることが容易かつ安定して、行えるようになった。このため、取出口部と開閉ファスナーを開くときに、袋正面シートが袋背面シートに接して収納部を閉鎖するので、計量部から収納物を取り出す際、収納部に位置する収納物が計量部に入り込むのを自然に防止でき、計量された収納物のみを適正に袋外に取り出すことができるという効果がある。
【００２３】
さらに取出口部を開閉ファスナーの下部に設けたことにより、包装袋を折り曲げて取出口部を開く時に、袋の外側に位置する第１ファスナーテープが外側に開くため、計量部にある収納物を取り出し易いという効果がある。
【００２４】
請求項２に記載の発明によれば、自立性を有する包装袋となるとともに、収納部の収納容量を大きくしながらも袋形状をコンパクトな形状にすることができるという効果がある。
【００２５】
請求項３に記載の発明によれば、鋏などの切断用具を用いずに包装袋を開封することができ、包装袋の開封操作が頗る簡単になるという効果がある。また未開封の段階においてファスナー部分が露出しないため、保存性ならびに衛生面において優れたものとなる。
【００２６】
請求項４に記載の発明によれば、折込部が、折込部根元の左右両縁付近から折込部先端部の袋幅方向中央に向かって斜めに形成された斜行シール部を有することにより、折込部の両端を持った際、前方から突出するファスナー部分に対向する方向に折込部が向かうことにより、安定した開口形状を保つことができる。
【００２７】
また、請求項５に記載の発明によれば、計量部に設けられた透明または半透明の部分（収納物確認部分）から計量部に入った収納物を確認しながら、計量目盛線を利用して収納物の量を調整することができ、より正確に計量された収納物を袋外に取り出すことができるという効果がある。
【図面の簡単な説明】
【００２８】
【図１】図１は、本発明に係る計量機能付き包装袋の一実施態様を示した斜視図である。
【図２】図２は、図１に示した計量機能付き包装袋の縦断面構造を模式的に示した断面模式図である。
【図３】図３は、図１、２に示した計量機能付き包装袋に内容物を充填した状態を示した断面模式図である。
【図４】図４は、図３の状態から、内容物の一部を計量部に移動させ、包装袋を開封した状態を示した断面説明図である。
【図５】図５は、図４の状態からファスナーを開いて計量部の内容物を取り出す状態を示した断面説明図である。
【図６】図６は、本発明の請求項４に係る計量機能付き包装袋の一実施態様を示した斜視説明図である。
【図７】図７は、本発明に係る計量機能付き包装袋の他の実施態様を示した斜視図である。
【発明を実施するための形態】
【００２９】
以下図面を参照しながら、本発明に係る計量機能付き包装袋について詳細に説明する。図１は、本発明に係る計量機能付き包装袋の一実施態様を示した斜視図である。図２は、図１に示した計量機能付き包装袋の縦断面構造を模式的に示した断面模式図である。また、図３は、図１、２に示した計量機能付き包装袋に内容物を充填した状態を示した断面模式図である。図４は、図３の状態から、内容物の一部を計量部に移動させ、包装袋を開封した状態を示した断面説明図である。さらに図５は、図４の状態からファスナーを開いて計量部の内容物を取り出す状態を示した断面説明図である。以下これらの図面を参照しながら説明する。
【００３０】
本発明に係る計量機能付き包装袋１は、図１に示したように、袋正面シート２と袋背面シート３との間の収納空間８が、袋正面シート２の袋高さ方向の冗長部分を袋幅方向に折ることによって形成された折込部３０により、袋高さ方向に計量部９と収納部１０とに区分されている。
図２に示したように、袋正面シート２の前記折込部３０の上部には、袋幅方向に亘る取出口部１３が位置しており、袋正面シート２の内面には、第一ファスナーテープ１４と第二ファスナーテープ１５とが係脱可能に係合してなる開閉ファスナー１１が、取出口部１３に重なるようにして設けられている。
【００３１】
開閉ファスナー１１における一方の第一ファスナーテープ１４は、取出口部１３の上部側となる袋正面シートの内面に取り付けられているとともに、他方の第二ファスナーテープ１５は、取出口部１３の下部側となる袋正面シートの内面に取り付けられている。第二ファスナーテープ１５が、取出口部１３を跨いで第一ファスナーテープ１４に収納空間側から重なり、その重なり部分で第二ファスナーテープ１５が第一ファスナーテープ１４に係脱可能に係合している。
【００３２】
図５に示したように、折込部３０の高さ位置で袋正面シート２と袋背面シート３とを重ね合わせした状態で袋背面シート３が内側となるように折り曲げて、取出口部１３と開閉ファスナー１１とを共に開いたときに、袋正面シート２と袋背面シート３が密着して収納部１０を閉鎖し、計量部９が開放される構成としたことを特徴とする。
【００３３】
図１〜５に示した実施態様においては、包装袋１は、袋正面シート２と袋背面シート３とが相対しているとともに、袋下部４には袋底面シート５が袋正面シート２と袋背面シート３との間に折り入れられていて、袋正面シート２と袋背面シート３との直接に相対する側辺同士をヒートシールして左右の袋側部６が形成され、袋底面シート５と前記袋正面シート２との直接に相対する側辺同士及び下辺同士をヒートシールし、また袋底面シート５と前記袋背面シート３との直接に相対する側辺同士及び下辺同士をヒートシールして、袋下部４を閉じた形態の袋とされているものである。
【００３４】
また包装袋１の袋上部７も袋正面シート２と袋背面シート３との直接に相対する上辺同士をヒートシールして、袋上部７が形成されている。そしてこの包装袋１は、袋底面シート５を展開することで、袋下部４の袋正面シート２と袋背面シート３のそれぞれの下面中央が離れて広がりを有する袋下部４となるスタンディングパウチ形状の袋であり、自立性を備える袋とされているものである。
【００３５】
なお、この包装袋１が扁平な形態となっている時点は、収納物が入れられる前の状態であるとともに、袋上部７が充填口として開放されているが、包装袋１の説明を容易にするために、図１〜５に示す包装袋１は扁平な形態で袋上部７もヒートシールして閉じられている状態としている。
【００３６】
またこの実施の形態の包装袋１は重ね合わせたシートの辺部同士をヒートシールして成形されている袋であって、袋正面シート２と袋背面シート３と袋底面シート５とのそれぞれは、袋内面側がシーラントとなるように基材／シーラントの積層構成を基本とした柔軟な合成樹脂製シートを包材としている。
【００３７】
（収納空間）
袋正面シート２と袋背面シート３との間の収納空間８は袋上部７側を計量部９とし、袋下部４側を収納部１０とされていて、この収納空間８が計量部９と収納部１０とに区分されているが、包装袋１が曲げられるなどしない通常の状態において、収納空間８に入れられた収納物ａが収納部１０から計量部９に簡単に移動でき、計量部９から収納部１０にも簡単に移動できるように、計量部９と収納部１０とは連続している。
【００３８】
本実施の形態において、上記収納部１０は収納空間８に入れられる所定量の収納物ａの全てを配置することができる空間の広がりを有することのできる部分であって、収納物ａの収納初期の時点でも、収納物ａを収納部１０に片寄せさせた状態で、その収納物ａの占める空間が計量部９までに及ばないように設けられている。
【００３９】
なお、本発明の包装袋１において、上記収納部１０は、収納初期の時点の収納物ａの全てを収めることのできる部分である必要は必ずしもない。即ち、収納物充填によって収納部１０が収納物ａで満たされるとともに、最初の一回目の計量（計量の仕方については後
述）が適切に行なえる範囲にして、幾分かの収納物ａが計量部９にも及ぶように充填しても構わない。
【００４０】
（開閉ファスナー）
図２の断面で示されているように袋正面シート２の内面には開閉ファスナー１１が袋幅方向に亘って取り付けられていて、この開閉ファスナー１１は、袋高さ方向において上記収納空間８の計量部９と収納部１０との境界部分１２に対応する位置となるようにして設けられている。
【００４１】
また袋正面シート２には、前記折込部３０の上部で上記境界部分１２に対応する位置に、袋幅方向に亘る取出口部１３が設けられており、袋正面シート２でのこの取出口部１３を跨ぐように重なる配置に上記開閉ファスナー１１が取り付けられている。なお、取出口部１３については後述する。
【００４２】
上記開閉ファスナー１１は、共に袋幅方向に亘る第一ファスナーテープ１４と第二ファスナーテープ１５とからなるもので、第一ファスナーテープ１４に第二ファスナーテープ１５の一部分が重ね合わされ、その重ね合わせ部分で係脱可能に係合している。
【００４３】
そして図２に示されているように第一ファスナーテープ１４は、上記取出口部１３の位置より上位であって計量部９側の袋正面シート２の内面に取り付けられている。また他方の第二ファスナーテープ１５は、取出口部１３より下位であって収納部１０側となる袋正面シート２の内面に取り付けられているとともに、この第二ファスナーテープ１５が上述したように取出口部１３を跨ぎ、さらに上辺の部分が第一ファスナーテープ１４に収納空間８側から重なっている。
【００４４】
開閉ファスナー１１は、第一ファスナーテープ１４と第二ファスナーテープ１５との重なり部分で、この第一ファスナーテープ１４と第二ファスナーテープ１５とが係脱可能に係合する係合部１６を有している。この係合部１６は、第一ファスナーテープ１４のテープ部１７に一体となっている雄型係合子１８に、第二ファスナーテープ１５のテープ部１９に一体となっている雌型係合子２０が係脱可能に係止することにより形成されているものである。
【００４５】
このように実施の形態の包装袋１においては、袋正面シート２に計量部９と収納部１０との間の境界部分１２に対応する位置にして折込部３０の上部に取出口部１３が設けられ、さらに袋正面シート２の内面に、取出口部１３を跨ぐようにして収納空間８側から上記開閉ファスナー１１が設けられていることから、取出口部１３が、例えば袋幅方向に横長にした細い開孔の形態となっている場合でも、開閉ファスナー１１自体が閉状態となっていることで、収納物ａが外部にこぼれ出ない。
【００４６】
（取出口部）
上記取出口部１３は、引き裂き手段である引き裂きテープ２１を袋正面シート２に貼着し、この引き裂きテープ２１によって上記開閉ファスナー１１の第二ファスナーテープ１５に対応する高さ位置に開口を引き裂き形成可能とされている。なお、上述したように開閉ファスナー１１が閉じていることで収納物の不用意な漏れを防止できるので、包装袋１の作製時点で取出口部をスリット状の細い開孔とすることも可能であるが、収納物を充填した包装袋１の流通時や店頭陳列時に収納物の変化、劣化などを防止する上では、引き裂き手段にて包装袋１が開封されることが好ましい。
実施の形態での取出口部１３は、引き裂きテープ２１が予め上記第二ファスナーテープ１５のテープ部１９に剥離可能に貼り合わされているとともに、開閉ファスナー１１を袋正面シート２の内面に取り付ける際の熱圧着などで、引き裂きテープ２１が袋正面シート２にも貼り合わされたものとしている。そして一方の袋側部６において引き裂きテープ２１の端部２１ａを袋正面シート２の辺部とともに一緒に摘まみ持って引くことで、引き裂きテープ２１で袋正面シート２を引き裂いて開口が得られるようにしている。
【００４７】
（計量）
本発明に係る計量機能付き包装袋１にあっては、図４に示すように収納部１０に位置している収納物ａを上記計量部９に移動させて、またこの計量部９から少量の収納物ａが収納部１０に戻るように移動させながらこの計量部９にて計量を行なう。その後に包装袋１を上記境界部分１２の位置で、袋背面シート３が内側となるように折り曲げることにより、袋正面シート２と袋背面シート３が密着して収納部を閉鎖し、収納物ａの移動が生じないようにして、計量された収納物ｂを分け取るのである。
【００４８】
次いで図５に示したように、取出口部１３を開くとともに開閉ファスナー１１を開いて、この計量部９から計量された収納物ｂを袋の外部へと取り出すことができる。
【００４９】
包装袋１の開封に際しては、取出口部１３での引き裂き手段による袋正面シート２に対する切り裂きを、上記折り曲げの前に行なうのが良好ではあるが、折り曲げた後に行なってもよく、特に限定されるものではない。
【００５０】
なお、計量された収納物ｂを取り出した計量部９においては、引き開きによって離れている第一ファスナーテープ１４と第二ファスナーテープ１５とを重ね合わせ、係合子同士を咬み合わせて指先などで押し潰すようにスライドさせることで、開閉ファスナー１１が閉じる。そして折り曲げの状態を元に戻すことで、計量部９と収納部１０とが連続し、収納物ａの移動が行える状態となり、再び計量を行なうことができる。
【００５１】
（折込部）
本発明に係る計量機能付き包装袋１は、袋正面シート２の袋高さ方向の冗長部分を袋幅方向に折ることによって形成された折込部３０を有することを特徴とする。このため、この折込部３０を手でつまんで、折込部３０の付け根に相当する部分で袋幅方向に容易にまた安定して折り曲げることができる。この時、袋正面シート２と袋背面シート３とは密着して、収納空間８において収納部１０と計量部９とが連通することが妨げられる。このため、計量部９に移されて計量された収納物ｂが、収納部１０に戻ったりすることがない。（図４参照）
また、図５に示したように、計量された収納物ｂを計量部９から袋外に出す際に包装袋１を傾けたり、振ったり、或いは逆さまにしても、収納部１０の収納物ａが計量部９に漏れ出すことがなく、計量を適正に行える。
【００５２】
図６に示した実施態様においては、折込部３０が、折込部根元の左右両縁付近から折込部先端部の袋幅方向中央に向かって斜めに形成された斜行シール部３１を有する。折込部が斜行シール部３１を有することにより、折込部の両端を持った際、前方から突出するファスナー部分に対向する方向に折込部が向かうことにより、安定した開口形状を保つことができる。
【００５３】
（包材）
上記包装袋１を構成する包材（袋正面シート、袋背面シート、袋底面シート）としては、一般的なパウチタイプの袋の包材として使用するシートが望ましい。例えば、二軸延伸ナイロン（ＯＮＹ）／直鎖状低密度ポリエチレン（ＬＬＤＰＥ）、ポリエチレンテレフタレート（ＰＥＴ）／二軸延伸ナイロン（ＯＮＹ）／直鎖状低密度ポリエチレン（ＬＬＤＰＥ）などの積層構成を有する積層材が採用できる。
【００５４】
また、収納物ａとしては、粉状物、顆粒状物、粒状物などであれば限定されるものではないが、収納物ａに対して流通時や店舗陳列時での外環境からの影響を低減させる場合、ＶＭＰＥＴなどのバリア層を積層構成中に備える包材を利用して、ガスバリア性や遮光性を備える包材を用いることが望ましい。例えば、二軸延伸ナイロン（ＯＮＹ）／蒸着ポリ
エチレンテレフタレート（ＶＭＰＥＴ：バリア性樹脂フィルム）／直鎖状低密度ポリエチレン（ＬＬＤＰＥ）などの積層構成を有する積層材が採用できる。なお、本発明の包装袋１の包材はこれらに限定されるものではなく、上述したように基材／シーラントまたは基材／バリア層／シーラントの構成であれば特に限定されない。
【００５５】
包装袋１においては、収納部１０の収納物ａに対して外界からの影響を低減させるために、少なくとも収納部１０の部分にガスバリア性や遮光性を持たせることが好ましいが、この収納部１０から計量部９に移動した収納物ｂの量を確認できるようにする必要がある。そこで、図６に示した実施態様においては、計量部９の袋正面シート２において、一方の袋側部６側に寄る半面の配置にして透明または半透明とされた収納物確認部分２４が設けられている。そして収納物確認部分２４以外の包材部分については、化粧印刷などを施している。
【００５６】
（計量目盛り）
上記収納物確認部分２４には、計量部９に入った収納物ａの量を確認し易くするとともに、所望の量に調整を行ない易くするために計量目盛線２５が印刷にて施されており、計量目盛線２５に重なった状態で収納物を見ながら収納物ｂの量を調整操作をすることができる。
【００５７】
上記収納物確認部分２４は、透明または半透明とされているものとして説明したが、この収納物確認部分２４を通して収納部１０側に外光が入射し、その外光による収納物ａの変質や劣化の可能性を避けたい場合には、収納物確認部分２４における袋正面シート２を、特に紫外線に対する遮光性を有し、計量時には収納物を目視確認できる透視が行える構成とすればよい。
【００５８】
計量時に透視して収納物を確認することのできる構成の例としてつぎのものが採用できる。計量部９の収納部確認部分２４の位置となる袋正面シート２についてこれを透明シートとし、この透明シートとして表れている収納物確認部分２４の全面に、透明遮光インキまたは温度、湿度などの環境条件の変化によって透明となる遮光インキを施すようにすればよい。
【００５９】
上記例では、収納物確認部分２４を通して収納物の確認が可能であるとともに遮光性をも備える透明遮光インキを、その収納物確認部分２４の透明シートに施したり、環境条件によって透明となる遮光インキを施すものとして説明したが、何れのインキにおいても遮光性を確保できるものであることから、計量部９の部分の袋正面シート２や袋背面シート３を透明シートとし、この透明シート全面に前記透明遮光インキや環境条件によって透明となる遮光インキを施すようにすることも可能である。
【００６０】
（形状）
図１、図６に示した計量機能付き包装袋１は、いずれもスタンディングパウチ形状であり、収納部１０の袋側部は、直線状である。また包装袋１の取り扱いの安全性を高めるために、袋上部７の隅部それぞれが角丸となる形状としている。袋側部の外縁を袋中央に向けて凹む凹形状にして、収納部１０を片手で保持し易くなるようにしてもよい。
【００６１】
包装袋の形状については、スタンディングパウチ形状に限定されるものではなく、例えば図７に示すように袋形状を、袋側部６それぞれにガセットシート２６を配し、袋下部４を角底になるようにした角底ガゼット形状とすることも可能である。また特に図示しないが、袋形状を、袋正面シート２と袋背面シート３との重ね合わせのみによりなるパウチ形状とすることも可能である。
【符号の説明】
【００６２】
１・・・計量機能付き包装袋
２・・・袋正面シート
３・・・袋背面シート
４・・・袋下部
５・・・袋底面シート
６・・・袋側部
７・・・袋上部
８・・・収納空間
９・・・計量部
１０・・・収納部
１１・・・開閉ファスナー
１２・・・境界部分
１３・・・取出口部
１４・・・第１ファスナーテープ
１５・・・第２ファスナーテープ
１６・・・係合部
１７・・・テープ部
１８・・・雄型係合子
１９・・・テープ部
２０・・・雌型係合子
２１・・・引き裂きテープ
２４・・・収納物確認部分
２５・・・計量目盛線
２６・・・ガセットシート
３０・・・折込部
３１・・・斜行シール部
ａ・・・収納物    ｂ・・・計量された収納物
【図１】
2018131236.tif 000003
【図２】
2018131236.tif 000004
【図３】
2018131236.tif 000005
【図４】
2018131236.tif 000006
【図５】
2018131236.tif 000007
【図６】
2018131236.tif 000008
【図７】
2018131236.tif 000009